(57)【要約】【課題】毛髪に与えるダメージを抑制することができながら、毛髪をストレートに仕上げることの可能なヘアーアイロンを得る。【解決手段】上側髪挟持面（第１髪挟持面）４Ａを有した上側挟持部（第１の挟持部）２Ａと、下側髪挟持面（第２髪挟持面）４Ｂを有した下側挟持部（第２の挟持部）２Ｂとを備え、毛髪Ｈを挟み込まない状態で前記髪挟持面４Ａ、４Ｂどうしを接触させた際に、これら上下の髪挟持面４Ａ、４Ｂ間に空間部６が形成されるようにする。【選択図】図１
2011098001.tif 000002
【特許請求の範囲】
【請求項１】
第１髪挟持面を有した第１の挟持部と、第２髪挟持面を有した第２の挟持部とを備え、当該第１髪挟持面と第２髪挟持面との間で毛髪を挟持するヘアーアイロンであって、
毛髪を挟み込まない状態で前記髪挟持面どうしを接触させた際に、これら一対の髪挟持面間に空間部が形成されるようにしたことを特徴とするヘアーアイロン。
【請求項２】
前記空間部は、前記一対の髪挟持面のうち少なくとも第１髪挟持面に、複数の凹凸部を設けることで形成されることを特徴とする請求項１に記載のヘアーアイロン。
【請求項３】
前記一対の髪挟持面に複数の凹凸部を設けるとともに、前記凹凸部の凹部は半円状に凹設され、前記凹凸部の凸部はその先端が平坦状に形成されており、
前記空間部は、前記第１髪挟持面の凹部と、前記第２髪挟持面の凸部とを接触させることで形成されることを特徴とする請求項１または２に記載のヘアーアイロン。
【請求項４】
前記一対の髪挟持面に複数の凹凸部を設けるとともに、
前記空間部は、前記第１髪挟持面の凸部と、前記第２髪挟持面の凸部とを接触させることで形成されることを特徴とする請求項１または２に記載のヘアーアイロン。
【請求項５】
前記凹部および凸部は、それぞれが前記挟持部の幅方向に沿って延在していることを特徴とする請求項２〜４のうち何れか１項に記載のヘアーアイロン。
【請求項６】
前記一対の髪挟持面は、前記第１の挟持部の挟持部本体と、前記第２の挟持部の挟持部本体との対向面に、前記第１髪挟持面を有する毛髪挟持部材と、前記第２髪挟持面を有する毛髪挟持部材とを支持させることで形成されており、
前記一対の髪挟持面のうち少なくとも第２髪挟持面は、前記第２の挟持部の挟持部本体に対して相対移動自在に支持されていることを特徴とする請求項１〜５のうち何れか１項に記載のヘアーアイロン。
【請求項７】
前記一対の挟持部のうち少なくとも第１の挟持部の幅方向一端には、当該挟持部の長手方向に沿って複数設けられ、当該挟持部の幅方向に沿うように毛髪を案内する案内突起が設けられていることを特徴とする請求項１〜６のうち何れか１項に記載のヘアーアイロン。
【請求項８】
前記一対の挟持部の幅方向側面に、放熱部を設けたことを特徴とする請求項１〜７のうち何れか１項に記載のヘアーアイロン。
【請求項９】
前記放熱部は、前記幅方向における少なくとも一方の側面に、当該挟持部の長手方向に延在するように設けられた複数の突条であることを特徴とする請求項８に記載のヘアーアイロン。
【請求項１０】
前記一対の髪挟持面が、光触媒機能を発揮するようにしたことを特徴とする請求項１〜９のうち何れか１項に記載のヘアーアイロン。
【請求項１１】
前記光触媒機能を発揮させる材料として二酸化チタンを用いたことを特徴とする請求項１０に記載のヘアーアイロン。
【発明の詳細な説明】
【技術分野】
【０００１】
本発明は、ヘアーアイロンに関する。
【背景技術】
【０００２】
従来より、互いに対向して配置される一対の髪挟持面（交換部材）を有した挟持部（押圧部）を備えるとともに、前記一対の髪挟持面の幅方向に沿って波状部を設け、この波状部間で毛髪を挟み込むことで、毛髪の手入れを行うようにしたヘアーアイロンが知られている（例えば、特許文献１参照）。
【先行技術文献】
【特許文献】
【０００３】
【特許文献１】特開平１１−３２８３１号公報
【発明の概要】
【発明が解決しようとする課題】
【０００４】
しかしながら、上記従来のヘアーアイロンにあっては、一対の髪挟持面の波状部を互いに嵌合させて噛み合わせる構成となっている。かかる構成では、挟み込んだ毛髪を挟持部の幅方向に沿って滑らす際に毛髪を挟み込むプレス力が高いため、必要以上の摩擦力が毛髪表面にかかってしまい、毛髪にダメージを与えてしまう恐れがあった。
【０００５】
そこで、本発明は、毛髪に与えるダメージを抑制することができながら、毛髪をストレートに仕上げることの可能なヘアーアイロンを得ることを目的とする。
【課題を解決するための手段】
【０００６】
請求項１の発明にあっては、第１髪挟持面を有した第１の挟持部と、第２髪挟持面を有した第２の挟持部とを備え、当該第１髪挟持面と第２髪挟持面との間で毛髪を挟持するヘアーアイロンであって、毛髪を挟み込まない状態で前記髪挟持面どうしを接触させた際に、これら一対の髪挟持面間に空間部が形成されるようにしたことを特徴とする。
【０００７】
請求項２の発明にあっては、前記空間部は、前記一対の髪挟持面のうち少なくとも第１髪挟持面に、複数の凹凸部を設けることで形成されることを特徴とする。
【０００８】
請求項３の発明にあっては、前記一対の髪挟持面に複数の凹凸部を設けるとともに、前記凹凸部の凹部は半円状に凹設され、前記凹凸部の凸部はその先端が平坦状に形成されており、前記空間部は、前記第１髪挟持面の凹部と、前記第２髪挟持面の凸部とを接触させることで形成されることを特徴とする。
【０００９】
請求項４の発明にあっては、前記一対の髪挟持面に複数の凹凸部を設けるとともに、前記空間部は、前記第１髪挟持面の凸部と、前記第２髪挟持面の凸部とを接触させることで形成されることを特徴とする。
【００１０】
請求項５の発明にあっては、前記凹部および凸部は、それぞれが前記挟持部の幅方向に沿って延在していることを特徴とする。
【００１１】
請求項６の発明にあっては、前記一対の髪挟持面は、前記第１の挟持部の挟持部本体と、前記第２の挟持部の挟持部本体との対向面に、前記第１髪挟持面を有する毛髪挟持部材と、前記第２髪挟持面を有する毛髪挟持部材とを支持させることで形成されており、前記一対の髪挟持面のうち少なくとも第２髪挟持面は、前記第２の挟持部の挟持部本体に対して相対移動自在に支持されていることを特徴とする。
【００１２】
請求項７の発明にあっては、前記一対の挟持部のうち少なくとも第１の挟持部の幅方向一端には、当該挟持部の長手方向に沿って複数設けられ、当該挟持部の幅方向に沿うように毛髪を案内する案内突起が設けられていることを特徴とする。
【００１３】
請求項８の発明にあっては、前記一対の挟持部の幅方向側面に、放熱部を設けたことを特徴とする。
【００１４】
請求項９の発明にあっては、前記放熱部は、前記幅方向における少なくとも一方の側面に、当該挟持部の長手方向に延在するように設けられた複数の突条であることを特徴とする。
【００１５】
請求項１０の発明にあっては、前記一対の髪挟持面が、光触媒機能を発揮するようにしたことを特徴とする。
【００１６】
請求項１１の発明にあっては、前記光触媒機能を発揮させる材料として二酸化チタンを用いたことを特徴とする。
【発明の効果】
【００１７】
請求項１の発明によれば、毛髪を挟み込まない状態で第１髪挟持面と第２髪挟持面とを接触させた際に、これら一対の髪挟持面間に空間部が形成されるようにしたため、毛髪を挟み込むプレス力を低下させて適度な摩擦力で毛髪を挟持部の幅方向に沿って滑らすことができるようになり、毛髪に与えるダメージを抑制することができる。
【００１８】
請求項２の発明によれば、空間部は一対の髪挟持面のうち少なくとも第１髪挟持面に、複数の凹凸部を設けることで形成されるため、第２髪挟持面を平坦面とする簡素な構成で空間部を形成することができる。
【００１９】
請求項３の発明によれば、一対の髪挟持面に複数の凹凸部を設けるとともに、空間部は第１髪挟持面の半円状の凹部と第２髪挟持面の先端が平坦状に形成された凸部とを接触させることで形成されるようにしたため、どちらか一方の髪挟持面にしか凹凸部が設けられない構成と比べて、一対の髪挟持面の表面積を大きくすることができる。このように、一対の髪挟持面の表面積を大きくすることで、毛髪に与える熱エネルギーの供給範囲を増やすことができるようになり、効果的にストレート状のくせ付けを施すことができる。
【００２０】
請求項４の発明によれば、請求項３と同様の作用効果を得ることができる。
【００２１】
請求項５の発明によれば、凹部および凸部はそれぞれが前記挟持部の幅方向に沿って延在しているため、当該幅方向に対して傾斜したり直交したりする毛髪を一対の髪挟持面間に挟み込んだとしても、毛髪を整流させることができる。
【００２２】
請求項６の発明によれば、一対の髪挟持面のうち少なくとも第２髪挟持面は、第２の挟持部の挟持部本体に対して相対移動自在に支持されているため、これら一対の髪挟持面間に毛髪を挟み込んだ際に、凹凸部の形成された第１髪挟持面側への毛髪の密着性を高めつつ、挟み込む毛髪の量に応じて第２髪挟持面が相対移動することで、毛髪に与えるダメージを最小限に抑えながら効果的にストレート状のくせ付けを施すことができる。
【００２３】
請求項７の発明によれば、一対の挟持部のうち少なくとも第１の挟持部の幅方向一端には、当該挟持部の長手方向に沿って複数設けられ、当該挟持部の幅方向に沿うように毛髪を案内する案内突起が設けられているため、挟み込んだ毛髪を挟持部の幅方向に沿って滑らす際に、毛髪が挟持部の長手方向に広がってしまうのを抑制することができる。
【００２４】
また、毛髪を整流するための案内突起を、髪挟持面が移動する場合に比べて密着性が高く整流効果を強く発揮させることのできる固定側（髪挟持面が移動しない側）の第１の挟持部に設けることで、毛髪の整流効果をより一層高めることができる。
【００２５】
請求項８の発明によれば、一対の挟持部の幅方向側面に放熱部を設けたため、ヘアーアイロンの使用時に、挟持部と使用者等の頭皮や肌との接触面積を少なくすることができる。
【００２６】
請求項９の発明によれば、放熱部は前記一対の挟持部の幅方向における少なくとも一方の側面に、当該挟持部の長手方向に延在するように設けられた複数の突条であるため、挟持部の表面積を増加させて、効率的に放熱を行うことができるようになる。
【００２７】
請求項１０の発明によれば、一対の髪挟持面が光触媒機能を発揮するようにしたため、髪挟持面に除菌機能や脱臭機能などを持たせることができる。
【００２８】
請求項１１の発明によれば、前記光触媒機能を発揮させる材料として二酸化チタンを用いたため、二酸化チタンによって髪挟持面に親水性機能を持たせることができ、毛髪にしっとり感、さらさら感を与えることができるようになる。
【図面の簡単な説明】
【００２９】
【図１】本発明の一実施形態にかかるヘアーアイロンの斜視図である。
【図２】本発明の一実施形態にかかるヘアーアイロンの断面図である。
【図３】本発明の一実施形態にかかるヘアーアイロンの髪挟持面の断面図である。
【図４】本発明の一実施形態にかかる髪挟持面の変形例を示した図である。
【図５】本発明の一実施形態にかかる髪挟持面を光触媒でコーティングした状態を模式的に示した断面図である。
【図６】本発明の一実施形態にかかる髪挟持面に光触媒粒子を含有させた状態を模式的に示した断面図である。
【発明を実施するための形態】
【００３０】
以下、本発明の実施形態について図面を参照しながら詳細に説明する。なお、以下では、第１髪挟持面と第２髪挟持面とを当接させるとともに第２髪挟持面が上を向いた状態におけるヘアーアイロンを基準として上下方向を規定する。また、ヘアーアイロンの挟持部側を前方、把持部側を後方として説明する。
【００３１】
図１〜図３は、本発明にかかるヘアーアイロンの一実施形態を示した図である。図１および図２に示すように、本実施形態のヘアーアイロン１０は、その先端側に毛髪を挟み込む髪挟持面４を有した挟持部２が配置され、その基端側に使用者が握り持つ把持部３が配置された一対のアーム１によって構成される。
【００３２】
具体的には、一対のアーム１は、上側挟持部（第１の挟持部）２Ａおよび上側把持部３Ａが一体となった上側アーム１Ａと、下側挟持部（第２の挟持部）２Ｂおよび下側把持部３Ｂが一体となった下側アーム１Ｂとを備えている。
【００３３】
そして、本実施形態では、これら上側アーム１Ａの基端部と下側アーム１Ｂの基端部とが回動連結部１１を介して回動自在に連結されている。すなわち、一対のアーム１は、上側挟持部２Ａと下側挟持部２Ｂとが離反して略Ｖ字状となる拡開位置と、上側挟持部２Ａと下側挟持部２Ｂとが接触して一直線状となる挟み込み位置との間で回動自在となっている。
【００３４】
また、上側挟持部２Ａおよび下側挟持部２Ｂは、それぞれ、上側アーム１Ａおよび下側アーム１Ｂを閉じるように回動させた際に当接可能な上側髪挟持面（第１髪挟持面）４Ａおよび下側髪挟持面（第２髪挟持面）４Ｂを有している。
【００３５】
なお、本実施形態では、挟持部２の幅方向が、上側髪挟持面４Ａと下側髪挟持面４Ｂとの間に毛髪Ｈを挟み込んだ状態における毛髪Ｈの延在方向に相当している。また、挟持部２の長手方向が、毛髪Ｈの延在方向と交差する方向に相当している。
【００３６】
上述した上側および下側アーム１Ａ、１Ｂは、外壁をなすケース２１、２２をそれぞれ備えており、これらケース２１およびケース２２の内部に形成された空洞内に、各種電機部品が収容されている。
【００３７】
また、ケース２１およびケース２２の幅方向側面部には、当該ケース２１、２２の長手方向に延在する放熱部としての突条２５および突条２６が設けられている。本実施形態では、この突条２５および突条２６は、ケース２１およびケース２２の幅方向両側部にそれぞれ２つずつ設けられており、側面視で、上下の髪挟持面４Ａ、４Ｂの長手方向の長さと略同じ長さとなるように延在している。
【００３８】
このように、ケース２１およびケース２２に、長手方向に延在する突条２５および突条２６を設けることで、ヘアーアイロン１０の使用時に、当該ケース２１、２２と使用者等の頭皮や肌との接触面積を少なくすることができる。また、長手方向に延在する突条２５および突条２６を設けることで、ケース２１およびケース２２の表面積が増加するため、効率的に放熱を行うことができるようになる。
【００３９】
また、本実施形態では、ケース（挟持部本体）２１とケース（挟持部本体）２２との対向面に、上側髪挟持面４Ａを有する毛髪挟持部材１５と下側髪挟持面４Ｂを有する毛髪挟持部材１６とを支持させることで、上側挟持部（第１の挟持部）２Ａおよび下側挟持部（第２の挟持部）２Ｂを形成している。
【００４０】
具体的には、毛髪挟持部材１５および毛髪挟持部材１６は、略薄板状のプレート部１５ａおよびプレート部１６ａを備えており、このプレート部１５ａおよびプレート部１６ａの表面に、上側髪挟持面４Ａおよび下側髪挟持面４Ｂが形成されている。なお、このプレート部１５ａおよびプレート部１６ａは、例えば、銅やアルミニウムなど導電性の高い材料で形成し、毛髪Ｈに熱を伝えやすくするのが好ましい。
【００４１】
そして、プレート部１５ａおよびプレート部１６ａの裏面に当接するようにしてそれぞれヒータ１３（１３Ａ、１３Ｂ）が配置されている。本実施形態では、ヒータ１３としてＰＣＴヒータ（Positive Temperature Coefficient ヒータ）を用いており、これにより連続的な温度制御が可能となる。なお、本実施形態では、ヒータ１３としてＰＣＴヒータを用いたものを例示したが、これに限らず、ニクロム線ヒータやその他の加熱手段を用いるようにしてもよい。また、ヒータ（発熱部）は、上側挟持部（第１の挟持部）２Ａおよび下側挟持部（第２の挟持部）２Ｂの何れか一方のみに設けられるようにしてもよい。
【００４２】
また、ケース２１の内部には、ヒータ１３の温度等を制御する制御回路１４が収容されており、この制御回路１４にヒータ１３が電気的に接続されている。また、本実施形態では、上側髪挟持面４Ａおよび下側髪挟持面４Ｂの温度を段階的に設定できるようにしている。
【００４３】
ケース２１の上側把持部３Ａ側には、操作スイッチ７が設けられており、この操作スイッチ７を操作することで、ヒータ１３に対する通電のオン・オフを切り換えることができる。この操作スイッチ７の操作によってヒータ１３を通電させると当該ヒータ１３が発熱し、この発熱したヒータ１３のそれぞれからプレート部１５ａおよびプレート部１６ａに熱が伝達されることで、プレート部１５ａの上側髪挟持面４Ａおよびプレート部１６ａの下側髪挟持面４Ｂが加熱される。
【００４４】
また、ケース２１の上側把持部３Ａ側には、２つの温度調節スイッチ８が設けられており、この２つの温度調節スイッチ８を操作することで、上側髪挟持面４Ａおよび下側髪挟持面４Ｂの設定温度を切り換えることができるようになっている。本実施形態では、設定温度を５段階に切り換えることができるようにしたものを例示している。そして、ケース２１には、ＬＥＤランプによって点灯する点灯部８ａが５つ設けられており、例えば、各段階に対応した点灯部８ａを点灯させることで、現在の設定温度を認識できるようにしている。なお、図１では図示省略したが、把持部３の末端部（図１中右端部）には電源コード９が接続されている。
【００４５】
したがって、上側髪挟持面４Ａと下側髪挟持面４Ｂとの間に毛髪Ｈの束を挟み込むことにより、その挟み込まれた毛髪Ｈは上側髪挟持面４Ａと下側髪挟持面４Ｂとの間で温められ、ヘアーアイロン１０を毛髪Ｈに沿って滑らせながら毛先に向けて引き下ろすことで、毛髪Ｈにストレート状のくせ付けを施すことができる。
【００４６】
ここで、本実施形態では、毛髪Ｈを挟み込まない状態でこれら上下の髪挟持面４Ａ、４Ｂどうしを接触させた際に、上側髪挟持面４Ａと下側髪挟持面４Ｂとの間に空間部６が形成されるようにしている。
【００４７】
具体的には、本実施形態では、上側髪挟持面４Ａおよび下側髪挟持面４Ｂには、挟持部２の幅方向に沿って延在するそれぞれ同一形状の複数の凹凸部５が設けられている。また、本実施形態では、この凹凸部５の凹部５ａは半円状に凹設され、凹凸部５の凸部５ｂはその先端が平坦状に形成されている。
【００４８】
かかる構成では、図３に示すように、上側髪挟持面４Ａの凹部５ａと下側髪挟持面の凸部５ｂ、上側髪挟持面４Ａの凸部５ｂと下側髪挟持面の凹部５ａをそれぞれ接触させた際に、これら上下の髪挟持面４Ａ、４Ｂ間に空間部６が形成される。
【００４９】
このように、上側髪挟持面４Ａと下側髪挟持面４Ｂとの間に空間部６が形成されることで、毛髪Ｈを挟み込むプレス力を低下させて適度な摩擦力で毛髪Ｈを滑らすことができるようになり、毛髪Ｈに与えるダメージを抑制することができる。
【００５０】
なお、本実施形態では、上下の髪挟持面４Ａ、４Ｂのうち一方の凸部５ｂが他方の凹部５ａに入り込んだ際に形成される空間部６の寸法が、０．０５ミリ〜０．５ミリ程度となるように設計するのが好ましい。一般的な毛髪Ｈの直径が０．０５ミリ以上であることから空間部６の寸法を０．０５ミリ未満とすると毛髪Ｈを挟み込むプレス力を強めてしまい、空間部６の寸法を逆に大きくしすぎると効果的なプレス力を与えることができず、毛髪Ｈにストレート状のくせ付けを施すことができないためである。
【００５１】
さらに、本実施形態では、この上下の髪挟持面４Ａ、４Ｂのうち少なくとも下側髪挟持面（第２髪挟持面）４Ｂは、ケース（挟持部本体）２２に対して相対移動自在に支持されている。
【００５２】
具体的には、図２に示すように、ケース２２の内部には毛髪挟持部材１６の四隅に対応する位置に４個のフロートばね１２が配置されており、このフロートばね１２を介して毛髪挟持部材１６のフロート部１６ａが上下に往復動可能に支持されている。すなわち、本実施形態では、フロートばね１２の付勢力を利用することで、下側髪挟持面４Ｂをケース２２に対して上下動可能に支持している。
【００５３】
かかる構成では、上側髪挟持面４Ａと下側髪挟持面４Ｂとの間に毛髪Ｈを挟み込んだ際に、凹凸部５の形成された上側髪挟持面４Ａ側への毛髪Ｈの密着性を高めつつ、挟み込む毛髪Ｈの量に応じて下側髪挟持面４Ｂが相対移動することで、毛髪Ｈに与えるダメージを最小限に抑えながら効果的にストレート状のくせ付けを施すことができる。
【００５４】
なお、本実施形態では、毛髪挟持部材１６の四隅をフロートばね１２で支えるようにしているが、このフロートばね１２の位置や配置個数は、適宜に設定することが可能である。また、毛髪挟持部材１６の上下方向の移動可能範囲は、０〜３ミリ程度となるように設定するのが好ましい。移動量が３ミリ以上となると、挟み込んだ毛髪Ｈにかかる荷重や引き下ろす際に生じる摩擦力が増大してしまい、ヘアーアイロン１０を毛髪Ｈに沿ってスムーズに滑らすことが難しくなってしまうからである。
【００５５】
また、図１に示すように、上側挟持部（第１の挟持部）２Ａの幅方向両端には、挟持部２の長手方向に沿って複数設けられ、挟持部２の幅方向に沿うように毛髪Ｈを案内する案内突起２４が設けられている。
【００５６】
案内突起２４は、本実施形態では上側髪挟持面４Ａの長辺近傍の幅方向外側に、等間隔に８個ずつ配置されており、上下の髪挟持面４Ａ、４Ｂ間で挟み込んだ毛髪Ｈを滑らす際に、毛髪Ｈが挟持部２の長手方向に広がってしまうのを抑制することができる。
【００５７】
以上、詳細に亘って説明してきたように、本実施形態のヘアーアイロン１０によれば、上側髪挟持面（第１髪挟持面）４Ａを有した上側挟持部（第１の挟持部）２Ａと、下側髪挟持面（第２髪挟持面）４Ｂを有した下側挟持部（第２の挟持部）２Ｂとを備え、毛髪Ｈを挟み込まない状態で前記髪挟持面４Ａ、４Ｂどうしを接触させた際に、これら上下の髪挟持面４Ａ、４Ｂ間に空間部６が形成されるようにしたため、毛髪Ｈを挟み込むプレス力を低下させて適度な摩擦力で毛髪を挟持部２の幅方向に沿って滑らすことができるようになり、毛髪Ｈに与えるダメージを抑制することができる。
【００５８】
また、このように上下の髪挟持面４Ａ、４Ｂ間に空間部６を設けることで、挟み込まれる毛髪Ｈの自由度を適度に確保することができるため、毛髪Ｈの整流効果をより高めることができる。
【００５９】
さらにまた、本実施形態では、上下の髪挟持面４Ａ、４Ｂに複数の凹凸部５を設けるとともに、上側髪挟持面４Ａの半円状の凹部５ａと下側髪挟持面４Ｂの先端が平坦状に形成された凸部５ｂとを接触させることで空間部６が形成されるようにしたため、どちらか一方の髪挟持面にしか凹凸部が設けられない構成と比べて、上下の髪挟持面４Ａ、４Ｂの表面積を大きくすることができる。このように、上下の髪挟持面４Ａ、４Ｂの表面積を大きくすることで、毛髪に与える熱エネルギーの供給範囲を増やすことができるようになり、効果的にストレート状のくせ付けを施すことができる。
【００６０】
なお、本実施形態では、上下の髪挟持面４Ａ、４Ｂに複数の凹凸部５を設けることで空間部６を形成したが、上下の髪挟持面４Ａ、４Ｂのうち、上側髪挟持面４Ａのみに複数の凹凸部８を設けるようにすると、下側髪挟持面４Ｂを平坦面とする簡素な構成で空間部６を形成することができるようになる。
【００６１】
また、本実施形態では、複数の凹凸部５の凹部５ａおよび凸部５ｂは、それぞれが挟持部２の幅方向に沿って延在しているため、当該幅方向に対して傾斜したり直交したりする毛髪Ｈを上下の髪挟持面４Ａ、４Ｂ間に挟み込んだとしても、毛髪を整流させることができる。
【００６２】
さらにまた、本実施形態では、上下の髪挟持面４Ａ、４Ｂのうち少なくとも下側髪挟持面（第２髪挟持面）４Ｂは、下側挟持部（第２の挟持部）２Ｂのケース（挟持部本体）２２に対して相対移動自在に支持されている。そのため、凹凸部５の形成された上側髪挟持面（第１髪挟持面）４Ａ側への毛髪Ｈの密着性を高めつつ、挟み込む毛髪Ｈの量に応じて下側髪挟持面４Ｂが相対移動することで、毛髪Ｈに与えるダメージを最小限に抑えながら効果的にストレート状のくせ付けを施すことができる。
【００６３】
また、本実施形態では、上下の挟持部２Ａ、２Ｂのうち少なくとも上側挟持部（第１の挟持部）２Ａの幅方向一端には、挟持部２の長手方向に沿って複数設けられ、挟持部２の幅方向に沿うように毛髪Ｈを案内する案内突起２４が設けられているため、挟み込んだ毛髪Ｈを挟持部２の幅方向に沿って滑らす際に、毛髪Ｈが挟持部２の長手方向に広がってしまうのを抑制することができる。
【００６４】
特に、本実施形態では、毛髪Ｈを整流するための案内突起２４を、髪挟持面が移動する場合に比べて密着性が高く整流効果を強く発揮させることのできる固定側（髪挟持面が移動しない側）の上側挟持部（第１の挟持部）２Ａに設けることで、毛髪Ｈの整流効果をより一層高めることができる。
【００６５】
また、本実施形態によれば、上下の挟持部２Ａ、２Ｂの幅方向側面に突条（放熱部）２５、２６を設けたため、ヘアーアイロン１０の使用時に、挟持部２と使用者等の頭皮や肌との接触面積を少なくすることができる。
【００６６】
さらにまた、本実施形態では、放熱部は上下の挟持部２Ａ、２Ｂの幅方向における少なくとも一方の側面に、挟持部２の長手方向に延在するように設けられた複数の突条２５、２６であるため、挟持部２の表面積を増加させて、効率的に放熱を行うことができるようになる。
【００６７】
以上、本発明の好適な実施形態について説明したが、本発明は上記実施形態には限定されず、本発明の要旨を逸脱しない範囲で各種変更が可能である。例えば、上記実施形態では、上側髪挟持面４Ａの凹部５ａと下側髪挟持面４Ｂの凸部５ｂとを接触させることで空間部６が形成されるようにしたが、図４に示す変形例のように、上側髪挟持面４Ａの凸部５ａと下側髪挟持面４Ｂの凸部５ａとを接触させることで空間部３０を形成するようにしてもよい。この場合は、上下の髪挟持面４Ａ、４Ｂの凹部５ａが空間部３０となる。
【００６８】
また、髪挟持面４に光触媒機能を持たせるようにしてもよい。例えば、図５に示すように、光触媒粒子を含んだコーティング材４ａをプレート部１５ａ（１６ａ）の表面に塗布してコーティングしたり、図６に示すように、光触媒粒子４ｂをプレート部１５ａ（１６ａ）に含有させたりすることで、髪挟持面４に光触媒機能を持たせることができる。こうすれば、髪挟持面４に除菌機能、脱臭機能などを持たせることができる。
【００６９】
なお、髪挟持面４に光触媒機能を発揮させる材料としては、銀など公知の材料を用いることができるが、特に二酸化チタンを用いるのが好適である。このように、二酸化チタンを用いることで、当該二酸化チタンによって髪挟持面４に親水性機能を持たせることができ、毛髪にしっとり感やさらさら感を与えることができるようになる。
【符号の説明】
【００７０】
２Ａ  上側挟持部（第１の挟持部）
２Ｂ  下側挟持部（第２の挟持部）
４Ａ  上側髪挟持面（第１髪挟持面）
４Ｂ  下側髪挟持面（第２髪挟持面）
５    凹凸部
６、３０  空間部
１０  ヘアーアイロン
【図１】
2011098001.tif 000003
【図２】
2011098001.tif 000004
【図３】
2011098001.tif 000005
【図４】
2011098001.tif 000006
【図５】
2011098001.tif 000007
【図６】
2011098001.tif 000008